(57)【要約】【課題】  着用時に、着用者の身体形状に良好にフィットし、防漏性に優れる吸収性物品を提供すること。【解決手段】  吸収体４は、下層吸収体４１と、該下層吸収体４１の肌当接面側に積層された上層吸収体４２とからなる。該上層吸収体４２は、その肌当接面側及び／又は非肌当接面側に、吸収性物品長手方向の一端又は該一端近傍から他端又は該他端近傍に亘って形成された溝（中央溝４３及び側溝４４，４４）を有しており、これらの溝によって分割されずに複数の域（中央部吸収域４２１，４２１及び側部吸収域４２２，４２２）に区分されている。該上層吸収体４２の肌当接面側に溝が形成された場合には、該溝は、該上層吸収体４２と表面シート２とが一体的に圧縮されて形成されている。該下層吸収体４１の肌当接面側と該上層吸収体４２の非肌当接面側とは、少なくともそれぞれの吸収性物品長手方向の両側縁を除く部分が接合固定されていない。【選択図】  図２
2006116036.tif 000002
【特許請求の範囲】
【請求項１】
液透過性の表面シート、液不透過性の裏面シート及び両シート間に介在された液保持性の吸収体を具備する吸収性物品において、
前記吸収体は、下層吸収体と、該下層吸収体の肌当接面側に積層された上層吸収体とからなり、
前記上層吸収体は、その肌当接面側及び／又は非肌当接面側に、吸収性物品長手方向の一端又は該一端近傍から他端又は該他端近傍に亘って形成された溝を有しており、該溝によって該上層吸収体は分割されずに複数の域に区分されており、
前記上層吸収体の肌当接面側に前記溝が形成された場合には、該溝は、該上層吸収体と前記表面シートとが一体的に圧縮されて形成されており、
前記下層吸収体の肌当接面側と前記上層吸収体の非肌当接面側とは、少なくともそれぞれの吸収性物品長手方向の両側縁を除く部分が接合固定されていない吸収性物品。
【請求項２】
前記溝として、前記上層吸収体の肌当接面側及び／又は非肌当接面側の吸収性物品幅方向中央部を縦断する中央溝と、該上層吸収体の肌当接面側及び／又は非肌当接面側に、該中央溝を挟んで対称的に形成された一対以上の側溝とを有する請求項１記載の吸収性物品。
【請求項３】
前記中央溝の幅は、前記側溝の幅より狭い請求項２記載の吸収性物品。
【請求項４】
前記中央溝の幅は２mm以下、前記側溝の幅は１．５〜５mmである請求項３記載の吸収性物品。
【請求項５】
前記上層吸収体における複数の前記域のうち、前記中央溝を介して隣接する２つの域の坪量が、それぞれ他の域の坪量より大きい請求項２〜４の何れかに記載の吸収性物品。
【請求項６】
前記下層吸収体の肌当接面側と前記上層吸収体の非肌当接面側とは、それぞれの吸収性物品長手方向の両側縁で接合固定されている請求項１〜５の何れかに記載の吸収性物品。
【請求項７】
前記下層吸収体は、着用者の排泄部に対向する排泄部対向部における吸収性物品長手方向両側部それぞれに、括れを有しており、前記上層吸収体は、その吸収性物品長手方向両側部に括れを有していない請求項１〜６の何れかに記載の吸収性物品。
【請求項８】
前記上層吸収体の坪量は、前記下層吸収体の坪量より大きい請求項１〜７の何れかに記載の吸収性物品。
【請求項９】
少なくとも着用者の排泄部に対向する排泄部対向部における前記上層吸収体の非肌当接面側の吸収性物品幅方向中央部に、吸収性物品幅方向に伸縮性を有する弾性部材が伸長状態で接合固定されている請求項１〜８の何れかに記載の吸収性物品。
【請求項１０】
少なくとも着用者の排泄部に対向する排泄部対向部における前記下層吸収体の肌当接面側の吸収性物品幅方向中央部に、板状部材が接合固定されている請求項１〜８の何れかに記載の吸収性物品。
【発明の詳細な説明】
【技術分野】
【０００１】
本発明は、生理用ナプキン、パンティライナー（おりものシート）、失禁パッド等の吸収性物品に関する。
【背景技術】
【０００２】
従来の生理用ナプキン等の吸収性物品においては、下着の内側に装着して使用し、その両側方から着用者の大腿部による圧力を受けた時に、必ずしもその中央部が身体の排泄部に密着するようには変形せず、該排泄部とナプキンとの間に隙間が生じ、排泄物の横漏れ及び後漏れを誘発していた。
【０００３】
吸収性物品の中央部を身体の排泄部に密着させやすくすることで、横漏れや後漏れの防止を図ったものとして、例えば、特許文献１には、平面状のベースの表面に、液体を吸収して保持する吸収要素が設けられた吸収性物品において、前記ベースに補助吸収要素として機能するクッション層を具備させ、前記吸収要素を、前記吸収性物品の縦方向に延びる中心線を境界として左右両側に分かれて設けられた分割吸収要素から構成し、前記分割吸収要素と前記クッション層とが共に圧縮された圧縮部を起点として、個々の前記分割吸収要素が、その内側端部が前記クッション層から離れる方向へ変形可能とした吸収性物品が提案されている。
【特許文献１】特開２００４−８９３９２号公報
【発明の開示】
【発明が解決しようとする課題】
【０００４】
特許文献１に開示されている吸収性物品は、分割された吸収体（分割吸収要素）の身体形状への密着性が必ずしも充分とは言えず、横漏れや後漏れの不安を完全に解消したものとは言えない。また、分割吸収要素を加工するにあたってその製造工程は煩雑である。
【０００５】
従って、本発明の目的は、着用時に、着用者の身体形状に良好にフィットし、防漏性に優れ、比較的簡易な製造工程で製造可能な吸収性物品を提供することにある。
【課題を解決するための手段】
【０００６】
本発明は、液透過性の表面シート、液不透過性の裏面シート及び両シート間に介在された液保持性の吸収体を具備する吸収性物品において、前記吸収体は、下層吸収体と、該下層吸収体の肌当接面側に積層された上層吸収体とからなり、前記上層吸収体は、その肌当接面側及び／又は非肌当接面側に、吸収性物品長手方向の一端又は該一端近傍から他端又は該他端近傍に亘って形成された溝を有しており、該溝によって該上層吸収体は分割されずに複数の域に区分されており、前記上層吸収体の肌当接面側に前記溝が形成された場合には、該溝は、該上層吸収体と前記表面シートとが一体的に圧縮されて形成されており、前記下層吸収体の肌当接面側と前記上層吸収体の非肌当接面側とは、少なくともそれぞれの吸収性物品長手方向の両側縁を除く部分が接合固定されていない吸収性物品を提供することにより前記目的を達成したものである。
【発明の効果】
【０００７】
本発明の吸収性物品は、特に、吸収体の形態に特徴を有するため、着用時において、その両側方から着用者の大腿部による圧力を受けた際に、該吸収体が身体の排泄部に密着するように変形し、該排泄部と該吸収性物品との間に隙間を生じさせないため、着用者の身体形状に良好にフィットし、装着感に優れ、横漏れ及び後漏れを効果的に防止することができる。また、本発明の吸収性物品は、その吸収体が分割されていないので、分割吸収体を備えた従来の吸収性物品に比して、簡易な製造工程で容易に製造することができる。
【発明を実施するための最良の形態】
【０００８】
以下に、本発明について、その好ましい一実施形態に基づき図面を参照しながら説明する。
第１実施形態の生理用ナプキン１は、図１及び図２に示すように、液透過性の表面シート２、液不透過性の裏面シート３、及びこれら両シート間に介在された液保持性の吸収体４を具備し、実質的に縦長に形成されている。また、このナプキン１の肌当接面側には、吸収体４の長手方向両側部に沿って、一対の立体ギャザー５，５が設けられている。本明細書において、「肌当接面側」とは、各部材の両側（面）のうち、着用時に着用者の肌側に配される側（面）である。また、以下、「非肌当接面側」という語句を使用することがあるが、これは、各部材の両側（面）のうち、着用時に着用者の肌側とは反対側に配される側（面）である。
【０００９】
前記生理用ナプキン１は、その着用時に着用者の排泄部に対向する排泄部対向部Ａと、該排泄部対向部Ａの前後に延在する前方部Ｂ及び後方部Ｃとを有する。生理用ナプキン１の着用時には、該前方部Ｂが着用者の前（腹）側に、該後方部Ｃが着用者の後（背）側にそれぞれ配される。
【００１０】
前記表面シート２は、図１及び図２に示すように、前記吸収体４の肌当接面側の全域を被覆している。前記裏面シート３は、該吸収体４の非肌当接面側の全域を被覆し、更に、該吸収体４のナプキン（吸収性物品）幅方向の両側縁それぞれから外方に延出した部分を有し、この延出部分が、ナプキン１の幅方向両側部それぞれにサイドフラップ６を形成している。該サイドフラップ６は、排泄部対向部Ａの位置において更に外方に延出しており、一対のウイング部６１，６１を形成している。前記裏面シート３及び一対の該ウイング部６１，６１の非肌当接面側には、それぞれ粘着剤が塗布されて、ナプキン１をショーツ等に固定するための固定部（図示せず）が形成されている。
第１実施形態のナプキン１の上述の構成は、従来公知の生理用ナプキンと同様である。
【００１１】
以下に、第１実施形態のナプキン１における前記吸収体４について詳述する。前記吸収体４は、図２及び図３に示すように、下層吸収体４１と、該下層吸収体４１の肌当接面側に積層された上層吸収体４２とからなる。両吸収体４１，４２は、何れも、実質的に縦長矩形状の平面視形状をなしており、ナプキン１の前記前方部Ｂから前記後方部Ｃに亘って配されている。
【００１２】
第１実施形態においては、前記下層吸収体４１の肌当接面側と前記上層吸収体４２の非肌当接面側とは、図２に示すように、それぞれのナプキン（吸収性物品）長手方向の両側縁で、ヒートシールやホットメルト接着剤などにより接合固定されており、接合固定部４５，４５が形成されている。しかし、該両側縁を除く部分では、下層吸収体４１の肌当接面側と上層吸収体４２の非肌当接面側とは接合固定されていない。該接合固定部４５は、両吸収体４１，４２の全長に亘って連続的に形成してもよく、不連続に形成してもよい。
【００１３】
また、第１実施形態においては、図３に示すように、前記下層吸収体４１は、排泄部対向部Ａにおけるナプキン長手方向両側部それぞれに、括れ４１ａを有している。一方、前記上層吸収体４２は、そのナプキン長手方向両側部に括れを有していない。このように、前記吸収体４のナプキン長手方向両側部のうち、排泄部対向部Ａにおける下層吸収体４１のナプキン長手方向両側部のみに括れ４１ａを設けることで、該排泄部対向部Ａにおけるナプキン全体の剛性が緩和され、排泄部に対するフィット性が一層高められる。
【００１４】
前記上層吸収体４２は、その肌当接面側及び／又は非肌当接面側に、ナプキン長手方向の一端近傍から他端近傍に亘って形成された溝を１本以上有している。該溝は、後述するように、エンボス加工等の押圧手段を用いて、上層吸収体を押圧・圧縮することで形成されている。
【００１５】
第１実施形態においては、前記溝として、該上層吸収体４２の肌当接面側のナプキン幅方向中央部をナプキン長手方向に沿って縦断する中央溝４３と、該肌当接面側に、該中央溝４３を挟んで対称的に形成された一対の弧状の側溝４４，４４とを有する。そして、上層吸収体４２は、これら３本の溝によって分割されずに複数の域に区分されている。即ち、上層吸収体４２は、排泄部対向部Ａにおいて、中央溝４３を介して隣接する２つの中央部吸収域４２１，４２１と、各該中央吸収域４２１に側溝４４を介して隣接する側部吸収域４２２，４２２との合計４つの域に区分されている。
【００１６】
また、第１実施形態においては、前記中央溝４３及び前記側溝４４，４４は、図１及び図２に示すように、何れも、前記上層吸収体４２と前記表面シート２とが一体的に圧縮されて形成されている。
【００１７】
前記中央溝４３及び前記側溝４４，４４は、図３に示すように、それぞれのナプキン長手方向の両端部を一致させるように形成されている。これら各溝のナプキン長手方向の一端部と、前記上層吸収体４２のナプキン長手方向の一端（該一端の最外側点を通り且つナプキン幅方向と平行な仮想線）との間の距離ｌ1は、好ましくは３０mm以下である。該距離ｌ1を０mm、即ち、上層吸収体４２のナプキン長手方向の一端から距離を置かずに溝を形成することもできる。該距離ｌ1が長すぎると、上層吸収体４２のナプキン長手方向の長さによっては複数の域に区分される範囲が狭くなり、フィット性及び防漏性の向上効果が充分に得られないおそれがある。
【００１８】
排泄部対向部Ａにおける前記中央溝４３と前記側溝４４との間の距離ｌ2は、好ましくは１０〜２０mmである。また、排泄部対向部Ａにおける前記側溝４４と前記上層吸収体４２のナプキン長手方向の側端部と間の距離ｌ3は、好ましくは１５〜３０mmである。
【００１９】
第１実施形態においては、図４に示すように、前記中央溝４３の幅ｗ1は、前記側溝４４の幅ｗ2より狭くなっている。これは、ナプキン１の着用時において、その両側方から着用者の大腿部による圧力を受けた時に、中央溝４３を介して隣接する前記中央部吸収域４２１，４２１が、該中央溝４３を着用者の肌側に向けて突出させ且つ該中央溝４３を折り目として、山折りに折れ曲がり易くなるようにする（図６参照）ため、ひいては、優れた装着感、フィット性及び防漏性を得るためである。
【００２０】
前記中央溝４３の幅ｗ1は、好ましくは２mm以下である。中央溝４３の幅ｗ1が大きすぎると、ナプキン１の着用時にその両側方から着用者の大腿部による圧力を受けた時に、前記中央部吸収域４２１，４２１が、上記のような山折りとはならず、逆に、該中央溝４３を着用者の肌側と反対側に向けて突出させるように折れ曲がる、いわゆる谷折りとなってしまい、排泄部に対するナプキンの密着性及び防漏性の低下を招くおそれがある。
前記側溝４４の幅ｗ2は、好ましくは１．５〜５mmである。該側溝４４は、従来のこの種のナプキンにおける吸収体上に形成された溝と同様に、防漏溝としても機能するものであり、幅ｗ2が該範囲にあることで、防漏溝としての役割を十分に果たすことができる。
【００２１】
前記中央溝４３及び前記側溝４４，４４それぞれの底壁の厚み〔溝の底部と、上層吸収体における該溝が形成されていない側（面）との間の最短距離〕は、適宜調整することができるが、特に、中央溝４３の底壁ｔ（図４参照）は、出来るだけ厚くすることが、図６に示すような山折りを容易にし、谷折りを防止する点で好ましい。
【００２２】
第１実施形態においては、着用者の排泄部に近い部分の吸収能力を更に高める観点から、前記上層吸収体４２における複数の前記域のうち、前記中央溝４３を介して隣接する２つの前記中央部吸収域４２１，４２１の坪量を、それぞれ、他の域（前記側部吸収域４２２，４２２）の坪量よりも大きくしている。中央部吸収域４２１と側部吸収域４２２との坪量比は、（中央部吸収域の坪量）：（側部吸収域の坪量）＝４：１〜３：１の範囲にあることが好ましい。尚、中央部吸収域４２１，４２１同士、及び側部吸収域４２２，４２２同士は、それぞれ同じ坪量になっている。
【００２３】
前記上層吸収体４２の坪量は、好ましくは３００〜５００ｇ／m2である。前記下層吸収体４１の坪量は、好ましくは５０〜２００である。また、上層吸収体４２で経血等の排泄物を出来るだけ吸収させる観点から、上層吸収体４２の坪量は、下層吸収体４１の坪量より大きいことが好ましい。
【００２４】
一対の前記立体ギャザー５，５について説明する。一対の前記立体ギャザー５，５は、尿や便、経血等の移動を阻止して、これらの漏れ出しを防止するものであり、それぞれ、図２に示すように、断面Ｌ字状に形成されており、面状の弾性伸縮部５０と、該弾性伸縮部５０の非肌当接面側に一体的に連接された起立部５１とからなる。該弾性伸縮部５０は、ナプキン長手方向に沿って配された複数本の弾性部材５２を具備しており、該弾性部材５２により立体ギャザー５の長手方向（ナプキン長手方向）に伸縮性を有しており、その肌当接面側（上面）にギャザーが形成されている。斯かる構成により、前記吸収体４の側部において、着用者の排泄部から肌を伝って横方向に流れた経血等の排泄物が、該起立部５１によって堰き止められると共に、該吸収体４によって素早く吸収され、より一層横漏れ防止効果が高くなる。
【００２５】
以下に、第１実施形態のナプキン１の製造方法について、図５を参照しながら説明する。図５は、第１実施形態のナプキン１の製造工程の一部である、吸収層の製造工程の概略説明図である。該吸収層は、前記表面シート２と前記吸収体４（下層吸収体４１及び上層吸収体４２）とから構成されるものである。
【００２６】
先ず、ロール状に巻かれた上層台紙１０を繰り出し、繰り出された該上層台紙１０上に、吸水性ポリマーと繊維材料との混合積繊物１１を、一定の間隔を置いて間欠的に供給する。次いで、この混合積繊物１１の搬送に合わせて、ロール状に巻かれた上層吸収紙１２を繰り出し、該混合積繊物１１を被覆するように該上層台紙１０上に重ね合わせる。更に、ロール状に巻かれた長尺表面シート２’を繰り出し、該上層吸収紙１２上に重ね合わせて、積層シートを作製する。
【００２７】
次いで、前記積層シート（前記上層台紙１０、前記混合積繊物１１、前記上層吸収紙１２及び前記長尺表面シート２’を順次積層してなる積層シート）に対して、エンボス装置１３を用いてエンボス加工を行う。該エンボス装置１３は、ロール表面に所定形状の凸部が形成されたエンボスロール１４を具備している。所定の加熱加圧条件の下、該エンボスロール１４で、前記積層シートを、その長尺表面シート２’側から押圧することよって、該長尺表面シート２’並びに上層吸収紙１２及び混合積繊物１１それぞれの該凸部に対応する部分が一体的に圧縮され、前記溝（中央溝４３及び側溝４４，４４）が形成される。こうして、長尺の上層吸収層１５が得られる。
【００２８】
前記上層吸収層１５は、その前記上層台紙１０の所定箇所に、塗布装置１６によりホットメルト接着剤が塗布され、次工程へ流される。
【００２９】
一方、前記上層吸収層１５の製造と並行して、長尺の下層吸収層２５を製造する。該下層吸収層２５の製造は、前記長尺表面シート２’を使用せず、また、エンボス加工を行わない点以外は、上述した上層吸収層１５の製造と同様に行われる。こうして、下層台紙２０、混合積繊物２１及び下層吸収紙２２を順次積層してなる長尺の下層吸収層２５が得られる。
【００３０】
そして、長尺の前記上層吸収層１５と長尺の前記下層吸収層２５とを、位置合わせを行った後、該上層吸収層１５の前記接着剤塗布面（前記上層台紙１０側）を内方にして重ね合わせ、この重ね合わせ状態のままロール対間１７を通過させて加圧し、該上層吸収層１５と該下層吸収層２５とを接合固定させる。こうして、長尺の吸収層３５（前記下層吸収体４１、前記上層吸収体４２及び前記表面シート２の積層体）が得られる。
【００３１】
この後の工程は、従来の生理用ナプキンの製造工程と同様であり、前記立体ギャザー５，５及び前記裏面シート３並びにその他ナプキン構成部材を所定箇所に配して接合固定し、ナプキンの一単位毎に切断することで、第１実施形態のナプキン１が得られる。
【００３２】
こうして得られた第１実施形態のナプキン１は、従来のナプキンと同様に、前記裏面シート３及び一対の前記ウイング部６１，６１の非肌当接面側に設けられた前記固定部（図示せず）により、ショーツ等の衣類の内面に固定して用いられる。
【００３３】
第１実施形態のナプキン１によれば、上述の如き特徴的な形態を有する前記吸収体４を用いているので、着用時に、その両側方から着用者の大腿部による圧力を受けた時には、排泄部対向部Ａにおいて、図６に示すように、前記上層吸収体４２が、前記中央溝４３及び前記側溝４４，４４に沿って折れ曲がるように変形し、優れたフィット性及び防漏性を発現する。この上層吸収体４２の変形においては、特に、前記中央溝４３を介して隣接する前記中央部吸収域４２１，４２１の変形が重要であり、該中央部吸収域４２１，４２１は、該中央溝４３を着用者の肌側に向けて突出させ且つ該中央溝４３を折り目として、山折りに折れ曲がる。上層吸収体４２がこのように変形することで、ナプキン１の肌当接面側が着用者の肌側に向けて大きく盛り上がり、排泄部を中心に着用者の肌に対するナプキンの密着性が高まり、良好な装着感を提供すると共に、肌とナプキンとの間の隙間が少なくなることで、上層吸収体４２に経血等を確実に吸収させ、漏れ出しを効果的に防止することができる。万一、上層吸収体４２で吸収しきれない量の経血等があっても、下層吸収体４１で確実に吸収することが可能である。
【００３４】
第１実施形態のナプキン１の各部を構成する材料としては、当該技術分野において通常用いられているものを特に制限無く用いることができる。
例えば、前記表面シート２としては、親水性且つ液透過性の不織布や、開孔フィルムを用いることができる。前記裏面シート３としては、液不透過性の材料や撥水性の材料を用いることができる。液不透過性の材料としては、樹脂フィルムや、樹脂フィルムと不織布等とのラミネート材等を用いることができ、撥水性の材料としては、スパンボンド・メルトブローン・スパンボンド等からなる多層構造の複合不織布、スパンボンド不織布、ヒートボンド不織布、エアスルー不織布等を用いることができる。前記立体ギャザー５形成用シート（帯状シート）としては、前記裏面シート３と同様のものを用いることができる。
【００３５】
前記吸収体４（下層吸収体４１、上層吸収体４２）は、上述したように、前記混合積繊物１１，２１等の吸収性材料を、台紙（前記上層台紙１０、前記下層台紙２０）及び吸収紙（前記上層吸収紙１２、前記下層吸収紙２２）で被覆することで得られる。この吸収性材料としては、パルプ繊維等からなる繊維集合体、又は繊維集合体と吸水性ポリマーとからなるもの（吸水性ポリマーと繊維材料との混合積繊物）等を用いることができる。吸水性ポリマーとしては、例えば、ポリアクリル酸ナトリウム、（アクリル酸−ビニルアルコール）共重合体、ポリアクリル酸ナトリウム架橋体、（でんぷん−アクリル酸）グラフト共重合体、（イソブチレン−無水マレイン酸）共重合体及びそのケン化物、ポリアスパラギン酸等が挙げられる。前記吸収体４を構成する繊維としては、例えば、パルプ繊維、レーヨン繊維、コットン繊維、酢酸セルロース等の親水性繊維、ポリエチレン、ポリプロピレン等のポリオレフィン系繊維、ポリエステル、ポリアミド等の縮合系繊維等を用いることできる。吸水性ポリマー及び繊維は、それぞれ一種又は二種以上を組み合わせて用いることができる。また、該吸収性材料を被覆する前記台紙及び前記吸収紙としては、低坪量の不織布、紙、ティッシュペーパー等を用いることができる。
【００３６】
前記弾性部材５２（前記弾性伸縮部５０形成用の弾性部材）としては、ポリウレタン、天然ゴム、ポリブタジエン、ゴム等の樹脂を、糸状、帯状、フィルム状にしたもの等、伸縮物性を示すものであれば特に制限なく使用することができる。
【００３７】
以下に、本発明の第２実施形態及び第３実施形態について、図７及び図８に基づき説明する。図７及び図８は、それぞれ、本発明の第２実施形態及び第３実施形態における図２相当図である。尚、以下の各実施形態において説明を省略した箇所については、上述した第１実施形態の説明が適用される。
【００３８】
図７に示す第２実施形態は、前記排泄部対向部Ａにおける前記上層吸収体４２の非肌当接面側のナプキン幅方向中央部に、ナプキン幅方向に伸縮性を有する弾性部材（山折り形成用弾性部材）７０が、伸長状態でヒートシールやホットメルト接着剤等により接合固定されている点以外は、上述した第１実施形態と同様に構成されている。第２実施形態においては、該弾性部材７０は、縦長矩形形状をなし且つ上層吸収体４２のナプキン長手方向の全長とほぼ同じ全長を有しており、排泄部対向部Ａ並びにその前後に位置する前記前方部Ｂ及び前記後方部Ｃに亘って配されている。該弾性部材７０は、少なくとも排泄部対向部Ａに配されていればよく、排泄部対向部Ａから前方部Ｂ又は後方部Ｃの何れか一方に亘るように配することもできる。第２実施形態は、この弾性部材７０により、前記上層吸収体４２の非肌当接面側の中央部に、ナプキン幅方向内方に向かって収縮する収縮力が付与されているので、上述した前記中央部吸収域４２１，４２１の山折り変形が起こりやすく、その結果として、優れたフィット性及び防漏性を発揮することができる。この山折り形成用弾性部材７０としては、例えば、ポリウレタン、天然ゴム、ポリブタジエン、ゴム等の樹脂を、帯状にしたもの等を用いることができる。
【００３９】
図８に示す第３実施形態は、前記排泄部対向部Ａにおける前記下層吸収体４１の肌当接面側のナプキン幅方向中央部に、板状部材８０が接合固定されている点以外は、上述した第１実施形態と同様に構成されている。第３実施形態においては、該板状部材８０は、縦長矩形形状をなし且つ上層吸収体４２のナプキン長手方向の全長とほぼ同じ全長を有しており、排泄部対向部Ａ並びにその前後に位置する前記前方部Ｂ及び前記後方部Ｃに亘って配されている。該板状部材８０は、少なくとも排泄部対向部Ａに配されていればよく、排泄部対向部Ａから前方部Ｂ又は後方部Ｃの何れか一方に亘るように配することもできる。第３実施形態は、この板状部材８０により、両側方から着用者の大腿部による圧力を受けた時に、上述した前記中央部吸収域４２１，４２１の山折り変形が起こりやすくなっている。板状部材８０としては、例えば、吸収性ポリマーシート、乾式パルプシート等を用いることができる。特に、これらのシートを積層させてなる多層板状部材は、ある程度の厚みを有し、該多層板状部材自体に経血等の吸収力があるので、板状部材８０として好ましく用いられる。板状部材８０の厚みは、３〜５mmが好ましい。
【００４０】
図９は、本発明に係る上層吸収体の他の実施形態の図４相当図である。図９に示す上層吸収体４２Ａは、前記中央溝４３が、前記側溝４４，４４とは反対側、即ち、上層吸収体４２Ａの非肌当接面側に形成されている点以外は、上述した第１実施形態における上層吸収体４２と同様に構成されている。本発明では、要は、前記上層吸収体が、上述の如き溝によって、分割されずに複数の域に区分されていればよく、該溝は、上述した第１実施形態のように肌当接面側のみに形成してもよく、また、これとは逆に、非肌当接面側のみに形成してもよく、あるいは、この上層吸収体４２Ａのように、肌当接面側及び非肌当接面側の両側にそれぞれ形成してもよい。この場合、中央溝及び側溝は、上層吸収体のどちらの側に形成しても構わない。
【００４１】
図１０及び図１１は、それぞれ、本発明に係る上層吸収体の別の実施形態の平面図である。
図１０に示す上層吸収体４２Ｂは、前記側溝４４が二対形成されている（側溝４４が合計４本形成されている）点以外は、上述した第１実施形態における上層吸収体４２と同様に構成されている。上層吸収体４２Ｂは、前記中央溝４３とこの二対の側溝４４とにより、排泄部対向部Ａにおいて、６つの域に区分されている。側溝４４の数は、必要に応じて更に増やすことができる。
図１１に示す上層吸収体４２Ｃは、一対の前記側溝４４，４４が、該上層吸収体４２Ｃの長手方向一端から他端に亘って前記中央溝４３と平行に形成されている点以外は、上述した第１実施形態における上層吸収体４２と同様に構成されている。
【００４２】
以上、本発明の実施形態について説明したが、本発明は、上述した実施形態に制限されず、本発明の趣旨を逸脱しない範囲で種々変更が可能である。
例えば、第１実施形態においては、下層吸収体４１は、そのナプキン長手方向両側部に括れ４１ａを有していたが（図３参照）、上層吸収体４２と同様に、このような括れのない下層吸収体でもよい。
また、上述し第１実施形態はウイング部６１を有していたが、ウイング部を有しないものであってもよい。
また、本発明の吸収性物品は、上述した生理用ナプキン以外に、パンティライナー（おりものシート）、失禁パッド等であっても良い。
【図面の簡単な説明】
【００４３】
【図１】本発明の第１実施形態の生理用ナプキンを表面シート側から見た状態を示す平面図である。
【図２】図１のＸ−Ｘ線断面を模式的に示す横断面図である。
【図３】図１に示す生理用ナプキンにおける吸収体の分解斜視図である。
【図４】図１に示す生理用ナプキンにおける上層吸収体のＸ−Ｘ線断面を肌当接面側から見た斜視図である。
【図５】図１に示す生理用ナプキンの製造工程の一部の工程概略説明図である。
【図６】図１に示す生理用ナプキンの着用時における状態を模式的に示す図２相当図である。
【図７】本発明の第２実施形態についての図２相当図である。
【図８】本発明の第３実施形態についての図２相当図である。
【図９】本発明に係る上層吸収体の他の実施形態についての図４相当図である。
【図１０】本発明に係る上層吸収体の別の実施形態を肌当接面側から見た平面図である。
【図１１】本発明に係る上層吸収体の更に別の実施形態を肌当接面側から見た平面図である。
【符号の説明】
【００４４】
１  生理用ナプキン
２  表面シート
３  裏面シート
４  吸収体
４１  下層吸収体
４２，４２Ａ，４２Ｂ，４２Ｃ  上層吸収体
４３  中央溝
４４  側溝
４２１  中央部吸収域
４２２  側部吸収域
４５  接合固定部
５  立体ギャザー
６  サイドフラップ部
６１  ウイング部
Ａ  排泄部対向部
Ｂ  前方部
Ｃ  後方部
７０  弾性部材（山折り形成用弾性部材）
８０  板状部材
【図１】
2006116036.tif 000003
【図２】
2006116036.tif 000004
【図３】
2006116036.tif 000005
【図４】
2006116036.tif 000006
【図５】
2006116036.tif 000007
【図６】
2006116036.tif 000008
【図７】
2006116036.tif 000009
【図８】
2006116036.tif 000010
【図９】
2006116036.tif 000011
【図１０】
2006116036.tif 000012
【図１１】
2006116036.tif 000013